(57)【要約】  ウェブオフセットプレス用の印刷ユニットを開示する。印刷ユニットは、カップルで配置構成されて、印刷カップルの各対の間を通過する紙ウェブの両側に印刷するプレートおよびブランケット胴、および印刷ユニットが動作位置にある場合に、各印刷カップルと関連して、インキをプレート胴に供給するように動作可能であるインキ付けシステムを備える。印刷ユニットは、プレートおよびブランケット胴を担持する１次モジュールと、インキ付けシステムを担持する１対の２次モジュールとに分離可能である。本発明の他の態様は、印刷プレスおよび印刷プレスで使用する折り装置ユニットを含む。【特許請求の範囲】
【請求項１】
自身の間を通過する紙ウェブの両側に印刷するようにカップルで配置構成されたプレートおよびブランケット胴と、各印刷カップルと関連し、動作位置でそのプレート胴にインキを供給するように動作可能であるインキ付けシステムとを備えるウェブオフセットプレスの印刷ユニットであって、
前記プレートおよびブランケット胴を担持する１次モジュールと、前記インキ付けシステムを担持する１対の２次モジュールとを備え、前記２次モジュールの少なくとも１つは、前記１次モジュールと前記２次モジュールまたは各２次モジュールとが相互から隔置される非動作位置へと動作可能である印刷ユニット。
【請求項２】
前記１次モジュールが前記１対の２次モジュールの間に配置される、請求項１に記載の印刷ユニット。
【請求項３】
前記２次モジュールまたは各２次モジュールが、横向きに前記１次モジュールから離れる方向で滑動可能であり、該印刷ユニットを前記１次モジュールと２次モジュールとに分割する、請求項１または２に記載の印刷ユニット。
【請求項４】
前記２次モジュールがそれぞれ、横向きに前記１次モジュールから反対方向に滑動自在である、請求項３に記載の印刷ユニット。
【請求項５】
前記２次モジュールが滑動自在に支持ベースに装着される、請求項３または４に記載の印刷ユニット。
【請求項６】
滑動ユニットが、前記支持ベース上の案内軌道と協働するために前記２次モジュールのそれぞれに取り付けられる、請求項５に記載の印刷ユニット。
【請求項７】
前記滑動ユニットが、前記案内軌道の窪みと協働する予圧ころ軸受けを含む、請求項６に記載の印刷ユニット。
【請求項８】
前記２次モジュールが、不動状態で取り付けられる往復台を含み、前記滑動ユニットが前記往復台に装着される、請求項６または７に記載の印刷ユニット。
【請求項９】
前記軌道に沿って前記往復台を駆動する手段を含む、請求項６から８のいずれかに記載の印刷ユニット。
【請求項１０】
前記駆動手段が、前記支持ベースに装着されたボールねじに駆動状態で接続されたモータと、前記２次モジュールが前記モータによる前記ボールねじの回転に応答して前記支持ベース上で滑動するように、前記２次モジュールに取り付けた前記ボールねじ上の接続部材とを含む、請求項９に記載の印刷ユニット。
【請求項１１】
前記モータが、１対のプーリおよび駆動ベルトを介して前記ボールねじに接続される、請求項１０に記載の印刷ユニット。
【請求項１２】
前記２次モジュールが非動作位置へと移動した場合に、前記１次モジュールを前記２次モジュールの間から移動させる手段を含む、請求項１から１１のいずれかに記載の印刷ユニット。
【請求項１３】
前記１次モジュールを移動させる前記手段が、前記２次モジュールの横向きの動作方向に対してほぼ直角で、前記１次モジュールを横方向に動作位置と非動作位置の間で移動させる、請求項１２に記載の印刷ユニット。
【請求項１４】
前記１次モジュールを、前記２次モジュールから離れて保存されている別の１次モジュールと交換する手段を含み、したがって前記２次モジュールが、前記他方の１次モジュールとともにその動作位置へと戻ることができる、請求項１２または１３に記載の印刷ユニット。
【請求項１５】
複数の追加的１次モジュールを含み、前記手段によって、前記２次モジュールがその非動作位置へと移動した場合に、前記２次モジュールの間に配置された前記１次モジュールを、前記複数の追加的１次モジュールのうち選択された１つと交換することができる、請求項１４に記載の印刷ユニット。
【請求項１６】
１つの１次モジュールの前記プレート胴が、別の１次モジュールの前記プレート胴と異なる直径である、請求項１４または１５に記載の印刷ユニット。
【請求項１７】
前記２次モジュールがその動作位置に戻った場合に、前記インキ付けシステムが異なる直径のプレート胴に合わせて調節されるように、前記１次および２次モジュール上に協働調節機構を備える、請求項１６に記載の印刷ユニット。
【請求項１８】
前記１次モジュールを移動させる前記手段が、前記１次モジュール上に、前記１次モジュールが動作位置にある場合に載る支持ベースに取り付けられた案内軌道と協働する滑動部材を含む、請求項１２から１７のいずれかに記載の印刷ユニット。
【請求項１９】
前記手段がさらに、前記１次モジュールまたは各１次モジュールと協働して、これを前記案内軌道に沿って移送パレットまで押す移送ボギーを含む、請求項１８に記載の印刷ユニット。
【請求項２０】
湿しシステムが前記２次ユニットのそれぞれに装着される、請求項１から１９のいずれかに記載の印刷ユニット。
【請求項２１】
自身の間を通過する紙ウェブの両側に印刷するようにカップルで配置構成されたプレートおよびブランケット胴と、各印刷カップルと関連し、動作位置でそのプレート胴にインキを供給するように動作可能であるインキ付けシステムとを備えるウェブオフセットプレスの印刷ユニットを再構成する方法であって、
前記印刷ユニットが、前記プレートおよびブランケット胴を担持する１次モジュールと、前記インキ付けシステムを担持する１対の２次モジュールとを備え、前記１次モジュールと前記２次モジュールまたは各２次モジュールとが相互から分離される非動作位置へと、前記２次モジュールの少なくとも１つを移動させるステップを含む方法。
【請求項２２】
前記２次モジュールが前記非動作位置へと移動したら、前記１次モジュールを前記２次モジュールの間から移動させるステップを含む、請求項２１に記載の方法。
【請求項２３】
前記１次モジュールを、前記２次モジュールがその動作位置と非動作位置の間で動作する方向に対してほぼ直角の方向に移動させるステップを含む、請求項２２に記載の方法。
【請求項２４】
前記２次モジュールから離れて保存されている異なる１次モジュールを前記２次モジュールの間に移動させるステップと、前記２次モジュールを前記異なる１次モジュールとともにその動作位置へと戻すステップとを含む、請求項２２または２３に記載の方法。
【請求項２５】
前記印刷ユニットが、前記２次モジュールから離れて保存されている複数の異なる１次モジュールを備え、該方法が、前記異なる１次モジュールから１つを選択するステップと、前記選択された１次モジュールを前記２次モジュールの間に移動するステップと、前記２次モジュールを前記選択された１次モジュールとともにその動作位置へと戻すステップとを含む、請求項２４に記載の方法。
【請求項２６】
前記１次モジュールを、交換される前記１次モジュールによって担持された前記プレート胴の直径とは異なる直径のプレート胴を担持する１次モジュールと交換するステップを含む、請求項２４または２５に記載の方法。
【請求項２７】
少なくとも１つのフォーマを含んで、前記フォーマまたは各フォーマ上を通過する印刷物の連続ウェブに第一縦方向折り線を与える上部折り装置モジュールと、前記上部折り装置モジュールから折り畳んだ前記ウェブを受け取り、前記ウェブを縦方向区間に切断して、前記第一縦方向折り目に対してほぼ直角で各区間に第二折り目を与える手段を備える下部折り装置モジュールと、前記下部折り装置モジュールから折り畳んだ前記区画を受け取り、これを前記折り装置から移送するために送出する手段を備える送出モジュールとを備えるウェブオフセット印刷プレス用折り装置であって、
前記下部折り装置モジュールが前記上部折り装置モジュールとは別個で、そこから分離可能である折り装置。
【請求項２８】
前記下部折り装置モジュールが、前記手段が装着される枠を備え、前記枠が、これを動作位置で前記上部折り装置モジュールに着脱式に取り付ける協働手段を含む、請求項２７に記載の折り装置。
【請求項２９】
前記下部折り装置モジュールがジョー折り装置であり、収集胴、ジョー胴および切断胴を備える、請求項２７または２８に記載の折り装置。
【請求項３０】
前記下部折り装置モジュールが回転折り装置モジュールであり、折り胴、第二折りローラおよび切断胴を備える、請求項２７または２８に記載の折り装置。
【請求項３１】
各下部折り装置モジュールの個々の前記胴の直径が異なる、請求項３０に記載の折り装置。
【請求項３２】
前記枠が、前記下部折り装置モジュールをその動作位置からオフラインの保存位置へと移動させることができる手段を含む、請求項２７から３１のいずれかに記載の折り装置。
【請求項３３】
前記下部折り装置モジュールを移動する前記手段が、異なる下部折り装置モジュールを前記下部折り装置モジュールの代わりに前記動作位置に配置できる手段を含む、請求項３２に記載の折り装置。
【請求項３４】
前記折り装置が少なくとも２つの下部折り装置モジュールを含み、各モジュールが前記折り装置内の前記動作位置とオフラインの保存位置との間で動作可能である、請求項３２または３３に記載の折り装置。
【請求項３５】
前記送出モジュールが前記下部折り装置モジュールとは別個であり、そこから分離可能である、請求項２７から３４のいずれかに記載の折り装置。
【請求項３６】
前記送出モジュールが、枠と、前記枠を動作位置で前記下部折り装置モジュールに着脱式に取り付ける協働手段とを備える、請求項３５に記載の折り装置。
【請求項３７】
前記下部折り装置から折り畳んだ前記区間を受け取り、これを前記折り装置から移送する前記送出モジュール内の前記手段が、回転自在に装着された外車を備える、請求項２７から３６のいずれかに記載の折り装置。
【請求項３８】
前記送出ユニットが、前記外車から折り畳んだ区間を受け取って、これを前記折り装置から移送するために、さらにストリッパおよび送出コンベヤを備える、請求項３７に記載の折り装置。
【請求項３９】
前記外車が自身のモータによって回転自在に駆動される、請求項３７または３８に記載の折り装置。
【請求項４０】
少なくとも１つのフォーマを含んで、前記フォーマまたは各フォーマ上を通過する印刷物の連続ウェブに第一縦方向折り線を与える上部折り装置モジュールと、前記上部折り装置から折り畳んだ前記ウェブを受け取り、前記ウェブを縦方向区間に切断して、前記第一縦方向折り目に対してほぼ直角で各区間に第二折り目を与える手段を備える下部折り装置モジュールと、前記下部折り装置モジュールから折り畳んだ前記区画を受け取り、これを前記折り装置から移送するために送出する手段を備える送出モジュールとを備えるウェブオフセット印刷プレス用折り装置であって、
前記送出モジュールが前記下部折り装置モジュールとは別個で、そこから分離可能である折り装置。
【請求項４１】
前記送出モジュールが、枠と、前記枠を動作位置で前記下部折り装置モジュールに着脱式に取り付ける協働手段とを備える、請求項４０に記載の折り装置。
【請求項４２】
前記手段が、回転自在に装着された外車を備える、請求項４０または４１に記載の折り装置。
【請求項４３】
前記送出モジュールが、前記外車から折り畳んだ区間を受け取って、これを前記折り装置から移送するために、さらにストリッパおよび送出コンベヤを備える、請求項４２に記載の折り装置。
【請求項４４】
前記外車が自身のモータによって回転自在に駆動される、請求項４２または４３に記載の折り装置。
【請求項４５】
前記モータが前記送出モジュールに装着される、請求項４４に記載の折り装置。
【請求項４６】
少なくとも１つのフォーマを含み、前記フォーマまたは各フォーマ上を通過する印刷物の連続ウェブに第一長手方向折り目を与える上部折り装置モジュールと、前記上部折り装置モジュールから分離可能であり、前記上部折り装置モジュールから折り畳んだ前記ウェブを受け取って、前記ウェブを長手方向区間に切断し、前記第一長手方向折り目に対してほぼ直角で各区間に第二折り目を与える手段を備える別個の下部折り装置モジュールと、前記下部折り装置モジュールから折り畳んだ前記区間を受け取り、これを前記折り装置から移送するために送出する手段を備える送出モジュールとを備えるウェブオフセット印刷プレスの折り装置を再構成する別の方法であって、
前記下部折り装置モジュールを前記上部折り装置モジュールから分離するステップと、前記下部折り装置モジュールを別の下部折り装置モジュールと交換するステップとを含む方法。
【請求項４７】
請求項１から２０のいずれかに記載の複数の印刷ユニットを含む印刷プレス。
【請求項４８】
請求項２７から３９のいずれかに記載の折り装置を含む印刷プレス。
【請求項４９】
請求項４７および４８に記載の印刷プレス。
【請求項５０】
前記プレスの各印刷ユニットで請求項２７から３９のいずれかに記載の方法のステップを使用して、請求項１から２０のいずれかに記載の複数の印刷ユニットを備える印刷プレスを再構成する方法。
【請求項５１】
前記印刷プレスが、請求項２７から３９のいずれかに記載の折り装置を含み、前記方法が、請求項４６に記載の折り装置を再構成する追加的ステップを含む、請求項５０に記載の方法。
【請求項５２】
印刷ユニットと、前記印刷ユニットに隣接して配置され、一緒になってプレスを通過する紙のウェブの路を画定する折り装置とを備えるウェブオフセット印刷プレスであって、
前記印刷ユニットが、前記ウェブにスリットを入れて複数のリボンを形成する手段と、前記リボンがそれぞれ前記折り装置に向かって移動してそれに入るにつれて次々と重なって平行な面にあるように、これを回転する手段とを備え、前記プレスは、前記リボンを回転する前記手段が、各リボンを前記印刷ユニットと前記折り装置の間で同じ回数だけ回転するように動作可能であるように構成される印刷プレス。
【請求項５３】
前記プレスは、前記印刷ユニットを通って上昇する前記ウェブが、前記リボンが前記折り装置内へと下降するにつれて、前記リボンのそれぞれが占有する面に対して直角の面にあるように構成される、請求項５２に記載のプレス。
【請求項５４】
前記印刷ユニットが、第一平行軸線の周囲で回転するように配置構成された印刷およびブランケット胴を備え、前記折り装置が、第二平行軸線の周囲で回転するように配置構成された胴を備え、前記第一および第二軸線が相互に直角である、請求項５２または５３に記載のプレス。
【請求項５５】
それぞれが印刷ユニットを通過する前記ウェブにスリットを入れて、複数のリボンを形成する手段を有し、それぞれが、各印刷ユニットからの前記リボンが、前記折り装置に向かって移動してそれに入るにつれて重なって平行の面になるように、前記リボンを回転する手段を有する複数の印刷ユニットを備える、請求項５２から５４のいずれかに記載のウェブオフセットプレス。
【発明の詳細な説明】
【技術分野】
【０００１】
本発明は印刷ユニット、印刷プレスおよびこのようなプレスに使用される折り装置に関する。本発明の１つの特定の態様は、新しい印刷作業を開始する前に保守、修理および設定のためにユニットの全部品へのアクセスを改善するのに加えて、またはその代わりに、印刷像カットオフを変更することができるモジュール式のフレキシブルなウェブオフセット印刷ユニットに関する。本発明の別の態様は、印刷プレスと、折り装置に対する１つまたは複数の印刷ユニットのレイアウトまたは配向に関する。本発明のさらなる態様は、ウェブオフセット印刷プレスに使用する折り装置の構造に関する。
【背景技術】
【０００２】
ウェブオフセット輪転印刷プレスは、各印刷ユニットを通して移動する紙などの印刷媒体の別個の連続ウェブに内容を印刷するように設計された幾つかの印刷ユニットを備える。各ユニットは、１つまたは複数の印刷プレートが取り付けられ、回転自在に装着されたプレート胴、および回転自在に装着されたブランケット胴を備えた少なくとも１対の胴グループまたは印刷カップルを含む。このタイプの多くのプレスは、ベルトまたは歯車駆動装置を介してグループの胴の１つを直接駆動する自身の駆動モータによって各胴グループが駆動されるシャフトなし駆動システムを組み込む。各胴グループ内の胴は通常、機械的に結合され、したがって駆動力が直接駆動される胴からそのグループの他の胴へと伝達される。各印刷カップルに伴い、インキローラのトレーンを備えるインキ付けシステムは、プレート胴が回転するにつれてインキを印刷プレートに供給するように動作可能である。プレートおよびブランケット胴の円筒形表面が回転接触するにつれ、インキで書かれた像がプレート胴からブランケット胴へ、ブランケット胴から、概ねブランケット胴と圧胴の間を通過する紙のウェブを備える印刷媒体へと転写される。紙ウェブが両面を印刷できるようにするために、圧胴は実際には、インキが別のインキ付けシステムのローラトレーンから転写される印刷プレートを有するプレート胴を含む別の印刷カップルのブランケット胴である。したがって、印刷カップルが、その間を移動する紙ウェブの両面に配置構成されることが理解される。
【０００３】
各印刷ユニットは、各印刷カップルおよびその個々のインキ付けシステムが装着された枠を備える。印刷ユニットは、各インキ付けユニットに関連し、これも枠に装着された湿しシステムも備えてよい。印刷ユニットは相互から隔置されて、折り装置ユニットに位置合わせされ、したがって紙ウェブは、各印刷ユニットを通して床レベルにて各印刷ユニットの下側または一方側に装着された別個のリールスタンドから供給され、次にユニットから横方向に移動し、折り装置に入る。ウェブを切断して別個のリボンにするスリッティング機構、および１つまたは複数のリボンを回転させて、折り装置に入る前に配向する回転装置バーが、印刷ユニットと折り装置の間に配置される。
【０００４】
例えば新聞紙の印刷に使用されるような大規模大容量プレスでは、紙ウェブがリールスタンドから印刷カップルの各対の間を垂直に上方向に移動するように、次々と重ねて垂直に装着した幾つかの印刷カップル対を各印刷ユニットに設けることによって、多色印刷が達成される。４つの印刷カップル対、つまり８つの印刷カップルを有するユニットは、紙ウェブの各側に最大４色を印刷することができ、往々にして「４ハイ（four-high）」ユニットとして知られることが多い。プレスが適用される用途、および印刷すべき色の品質および数に応じて、異なる数の印刷カップル対を有するユニットも可能である。例えば、５つの印刷カップル対を有する「５ハイ（five-high）」ユニットも知られている。印刷されたウェブが各印刷ユニットの上端から出ると、これはウェブの移動方向に対して直角の回転軸を有するローラ上を通過する。ウェブがローラ上を通過するにつれ、その上方向への移動方向が変化し、したがってここではプレスに沿って折り装置に向かい、横方向に移動する。プレスの構成に応じて、ウェブは以下でさらに詳細に説明するように折り装置に入る前に移動方向に対して４５°で傾斜した回転装置バー上を通過することによって、スリットが入り、回転する。
【０００５】
従来のプレスでは、各印刷ユニットは直径が固定されたプレートおよびブランケット胴を有する。これらの胴の直径は、印刷ユニットによって印刷可能である像の最大長さである印刷像カットオフを規定することが理解される。ワンアラウンドプレスまたは１ページに適用すべき像がプレート胴の１回転でブランケット胴に転写されるプレスでは、印刷されるページの最大長さが、プレートおよびブランケット胴の周を超えてはならないか、これよりわずかに小さく、２ページに適用される像がプレート胴の１回転でブランケット胴に転写されるツーアラウンドプレスでは、印刷されるページの最大高さが、胴の周の半分を超えてはならない。
【０００６】
カットオフを変更することは非常に困難で、時間がかかる作業である。というのは、これが印刷機および折り機のサイズおよび幾何学的形状にとって基本的なものであり、プレートおよびブランケット胴を異なる直径の胴と交換し、さらにウェブを各コピーに切断する折り装置の胴のような印刷ユニットまたはプレスの他の構成要素の多くを交換するか、その位置を変更することを基本的に含み、カットオフ、つまりウェブを切断する先のコピーの長さを変更するためには、サイズを変更しなければならない。これには一般的に、印刷ユニットおよび折り装置またはそのそれぞれを完全に除去し、再度組み立てる必要がある。これは実行するのに非常に費用がかかる作業であり、さらに、プレスが作業不能の状態である時間が非常に長いので、特に望ましくない。その結果、これはプレスの全体的生産性に非常にマイナスの影響を及ぼす。実際、多くのプレス操作員は、印刷物の需要増加および適合しなければならない非常にきつい締め切りのせいで、このような長い期間にわたってプレスを停止させることは全くできない。したがって、特定の印刷プレスで達成可能である印刷像カットオフは、一般的に固定されていると見なされ、したがってそのプレスを使用して印刷可能な新聞のサイズは制限される。従来のプレスのカットオフを変更できないこと、またはそれほど迅速かつ簡単にできないことは、このタイプのプレスが提供できるような望ましい融通性を大幅に制限している。したがって、プレス製造業者は、顧客の需要に応じるために、特定のカットオフのサイズ範囲で印刷ユニットおよび折り装置を含む様々なプレスを提供しなければならない。
【０００７】
上述した問題に加えて、従来の印刷プレスには、運転時間を減少させ、融通性を阻害する他の欠点も幾つかある。締め切りが非常に短く、需要が多いことは、プレスを長期間にわたって連続的に運転しなければならないことを意味することが多い。しかし、以前の印刷作業が終了した場合は、新しい印刷作業の準備をするためにプレスにかかる時間のせいで、遅れが生じる。例えば、プレスをプレートアップするには、各印刷カップルの各印刷胴上の個々の印刷プレートを交換しなければならない。これは、特にプレート胴へのアクセスがインキ付けおよび／または湿し機構などの邪魔になる他の構成要素によって制限されることがあるので、時間がかかる作業である。４ハイ（four-high）印刷ユニットでは、その印刷ユニットで新しい印刷作業を開始する前に、印刷プレートを８プレート胴上で交換する必要があることも理解される。また、プレスは幾つかの印刷ユニットを備え、それは全て、全部が新しい印刷ユニットを使用する新しい印刷作業を開始する前に、プレートアップが必要である。経験によると、１人で１台の４ハイ（four-high）印刷ユニットの印刷プレートを交換するには、少なくとも４５分かかることがある。
【０００８】
個々の印刷ユニットまたは各ユニットの特定のカップルは、保守および／または修理の目的で常に注意する必要があることも理解される。しかし、特定の構成要素にアクセス不可能であるので、印刷ユニットは故障した構成要素にアクセスするか、洗浄するために、往々にして除去する必要があり、これはプレスの停止時間を大幅に増加させる。
【０００９】
前述した問題は、各印刷ユニットの構造的高さによってさらに悪化し、これを含むためにさらに大きく、費用がかかる建物を必要とするばかりでなく、プレートアップおよび保守のために比較的高い印刷カップルおよびそれに関連する構成要素にアクセスすることが、さらに複雑になる。さらに、印刷カップル対は次々と積み重ねられるので、印刷すべき紙ウェブは異なる色のインキがウェブに印刷されるポイントとポイントの間で比較的長い距離を移動しなければならない。これは、印刷像の見当合わせを維持する際に問題を引き起こすことがあり、プレートの交換中にプレスを停止する場合、およびプレスを再開する場合に廃棄物を増加させる。さらに高くなった印刷ユニットは、重量および構造的不安定性も相応して増加させ、プレスの基礎をさらに重く強化する必要があることも分かる。プレスの高さおよび異なるインキをウェブに印刷するポイント間の距離によって引き起こされる問題は、中心圧胴の周囲に幾つかの胴グループが配置構成されるサテライトプレスを使用することによって緩和することができるが、このタイプのプレスは機械的に非常に複雑であり、定期的保守を必要とする。
【００１０】
本発明の一態様は、１つまたは複数の別個のリボンを形成するためにスリットを入れ、折り装置の同じフォーマに供給できるように、回転装置バー上を通過させることによって１つまたは複数のリボンを移動させる場合に、ウェブに等しい張力を維持するという問題にも対処する。各リボンの張力は、同じに維持し、一定状態にすることが理想的である。しかし、これは実際には達成することが非常に困難であり、リボンの１つまたは幾つかの方向が他のリボンの方向より多く変更する場合は、リボンが滑動するにつれて、リボンと回転装置バーの間に発生する摩擦のせいで、特にそうである。ページ全体の印刷像の見当合わせを維持することと、最小のウェブの破損で良好なプレスの走行可能性を達成するということの両方の観点から、一定かつ等しいウェブ張力は重要であることが理解される。この問題およびこれを緩和または解決するために提示されるプレスの構成については、以下でさらに対応する。
【発明の開示】
【発明が解決しようとする課題】
【００１１】
従来の印刷ユニット、プレスおよび／または折り装置の問題を克服するか、大幅に緩和することが本発明の目的であり、その多くについては以上でさらに詳細に説明されている。本発明によって提示される変形の多くは、前述した問題の幾つかを克服するために、独立して使用することができる。しかし、複数の変形を同じプレス内で全て一緒に使用して、このようなプレスが提供する全体的融通性を最大にすることも想定される。
【課題を解決するための手段】
【００１２】
本発明の第一の態様によると、間を通過する紙ウェブの両面に印刷するために、カップル状に配置構成されたプレート胴およびブランケット胴を備えるウェブオフセットプレスの印刷ユニット、およびそのプレート胴にインキを供給するために動作可能な動作位置に印刷ユニットがある場合に、各印刷カップルに関連するインキ付けシステムが提供され、印刷ユニットは、プレート胴およびブランケット胴を担持する１次モジュール、およびインキ付けシステムを担持する２次モジュールの対に分離可能である。
【００１３】
好ましい実施形態では、印刷ユニットは印刷ユニットまたは各印刷ユニットが分離された場合に、１次モジュールを異なる１次モジュールと交換できるようにする手段を含み、したがって印刷ユニットまたは各印刷ユニットが動作位置に復帰すると、２次モジュールの各インキ付けシステムが、前記異なる１次モジュールの個々の印刷カップルと関連する。
【００１４】
本発明は、１次モジュールによって担持されたプレート胴およびブランケット胴、および１対の２次モジュールによって担持されたインキ付けシステムを備える印刷ユニットを再構成する方法も含み、インキ付けシステムは、印刷ユニットが動作位置にある場合に、各印刷カップルと関連し、方法は、２次モジュールを１次モジュールから分離するステップと、１次モジュールを異なる１次モジュールと交換するステップとを含む。
【００１５】
本発明の別の態様によると、少なくとも１つのフォーマを含んで、各フォーマ上を通過する印刷物の連続ウェブに第一縦方向折り線を与える上部折り装置モジュール、上部折り装置モジュールから折り畳んだウェブを受け取り、ウェブを縦方向区間に切断して、第一縦方向折り目に対してほぼ直角で各区間に第二折り目を与える手段を備える下部折り装置モジュール、および下部折り装置モジュールから折り畳んだ区画を受け取り、これを折り装置から移送するために送出する手段を備える送出モジュールを備えるウェブオフセット印刷プレス用折り装置が提供され、下部折り装置モジュールは上部折り装置モジュールから分離可能である。下部折り装置モジュールは、上部折り装置モジュールとは完全に別個のモジュール式ユニットを備え、それによって下部折り装置モジュールを上部折り装置モジュールから分離し、必要に応じて異なる下部折り装置モジュールと交換できるようにする。
【００１６】
本発明の別の態様によると、少なくとも１つのフォーマを含んで、各フォーマ上を通過する印刷物の連続ウェブに第一縦方向折り線を与える上部折り装置モジュール、上部折り装置モジュールから折り畳んだウェブを受け取り、ウェブを縦方向区間に切断して、第一縦方向折り目に対してほぼ直角で各区間に第二折り目を与える手段を備える下部折り装置モジュール、および下部折り装置モジュールから折り畳んだ区画を受け取り、これを折り装置から移送するために送出する手段を備える送出モジュールを備えるウェブオフセット印刷プレス用折り装置が提供され、送出モジュールは下部折り装置モジュールから分離可能である。
【００１７】
本発明は、少なくとも１つのフォーマを含み、フォーマまたは各フォーマ上を通過する印刷物の連続ウェブに第一長手方向折り目を与える上部折り装置モジュール、上部折り装置モジュールから分離可能であり、上部折り装置モジュールから折り畳んだウェブを受け取って、ウェブを長手方向区間に切断し、第一長手方向折り目に対してほぼ直角で各区間に第二折り目を与える手段を備える別個の下部折り装置モジュール、および下部折り装置モジュールから折り畳んだ区間を受け取り、これを折り装置から移送するために送出する手段を備える送出モジュールを備えるウェブオフセット印刷プレスの折り装置を再構成する別の方法も提供し、方法は、下部折り装置モジュールを上部折り装置モジュールおよび送出モジュールから分離するステップと、下部折り装置モジュールを別の下部折り装置モジュールと交換するステップを含む。
【００１８】
本発明の別の態様によると、印刷ユニットと、印刷ユニットに隣接して配置され、一緒になってプレスを通過する紙のウェブの路を画定する折り装置とを備えるウェブオフセット印刷プレスが提供され、印刷ユニットは、ウェブにスリットを入れて、複数のリボンを形成する手段、および前記リボンがそれぞれ折り装置に向かって移動し、それに入るにつれ、次々と重なって平行な面にあるように、これを回転する手段を備え、プレスは、リボンを回転する前記手段が、各リボンを印刷ユニットと折り装置の間で同じ回数だけ回転するように動作可能であるように構成される。
【００１９】
次に、本発明の実施形態を添付図面の図１〜図３、図５〜図１１および図１３〜図１８に関して、例示によってのみ説明する。
【発明を実施するための最良の形態】
【００２０】
次に図を参照すると、図１には本発明による印刷ユニット１の側断面図が図示され、これは使用する準備が整った動作または印刷位置で図示されている。本発明のウェブオフセットプレスは、各印刷ユニット１を通過して折り装置（図示せず）に入る紙ウェブと一体で作業するように、それぞれ位置合わせされたこれらユニットの１つまたは幾つかを備える。
【００２１】
図示の印刷ユニット１は、ウェブの両面に４色を印刷する４ハイ（four-high）構成である。したがって、それぞれがプレート胴２およびブランケット胴３を備える８つの印刷カップルを有する。各印刷カップルは、その間を移動する紙ウェブ４の対向する側に配置された対の状態で配置構成され、したがってウェブ４は、床レベルで印刷ユニット１の下または一方側に装着可能であるリールスタンド（図示せず）から印刷ユニット１を通過するにつれ、両面を同時に印刷することができる。
【００２２】
インキ付けシステム５および湿しシステム６は、印刷するためにインキおよび浸し水をこれに供給するように、各印刷カップル、または特に各印刷カップルのプレート胴２に動作状態で関連する。インキ付けおよび浸しシステム５、６はそれぞれ、フォーマローラおよびインキ分配ローラのトレーンを備える。インキ付けおよび浸しシステム５、６はよく知られているので、本明細書ではその構造に関してさらに説明する必要はない。
【００２３】
印刷ユニット１は１対の２次または外部モジュール８、９の間に配置された１次または中心モジュール７を備える。モジュール７、８、９はそれぞれ枠に装着される。プレート交換または保守のために非動作部分開放構成で図１の印刷ユニット１を示す図２で最もよく分かるように、プレートおよびブランケット胴２、３は１次モジュール７に回転自在に装着され、インキ付けおよび湿しシステム５、６は２次モジュール８、９それぞれに装着される。プレートおよびブランケット胴２、３とは別の他の幾つかの構成要素を、以下で明白になる理由で１次モジュール７に装着することが理想的である。
【００２４】
図２で分かるように、２次モジュール８、９は、１次モジュール７から横方向に後退または滑動でき、１次モジュールに装着した胴２、３の軸線は、２次モジュール８、９に装着したインキ付けおよび湿しシステム５、６のローラの軸線と平行のままであるが、その軸間距離は、２次モジュール８、９が１次モジュール７から横方向に離れるにつれて増加するように、可動状態で装着される。しかし、図２では１つの２次モジュール９のみが１次モジュール７から後退して図示されるが、他の２次モジュール８も印刷ユニット１のその側へのアクセスを容易にするために後退してよいことが理解される。
【００２５】
図２の後退した２次モジュール９と１次モジュール７の間に立つ人１１の図から分かるように、２次モジュール８、９は、印刷ユニットの洗浄、保守またはプレートアップなどの様々な作業を実行するために、人が２次モジュールと１次モジュール７、８、９の間を歩行できる距離だけ、１次モジュール７から１次モジュール７のプレートおよびブランケット胴２、３まで、または２次モジュール８、９のインキ付けおよび／または湿しシステム５、６まで横方向に後退することができる。これらの動作を容易にするために、プレスは各２次モジュールと１次モジュールの間に一体リフト台を含んでよく、これは印刷ユニット全体にサービスできるのに必要な任意の高さまで上昇することができる。
【００２６】
印刷ユニット１が開放するにつれ、ユニット１の全構成要素へのアクセスが大幅に改善されることが理解される。さらに、記載された方法で開放しない従来通りの印刷ユニットでは、プレートアップ作業のためのプレート胴２へのアクセスは、印刷ユニットの外側から、つまりインキ付けシステムと湿しシステム５、６の間で提供しなければならない。つまり、１つの印刷カップルとその真上に位置する印刷カップルの間にアクセス空間を設けなければならない。これは、そのローラの構成がプレート胴の軸線から離れる傾斜方向に延在するように、インキ付けユニットおよび湿しユニット５、６を配置構成することも意味する。
【００２７】
本発明のこの実施形態では、２次モジュール９が１次モジュール７から分離されている場合に、１次モジュールと２次モジュール７、８、９の間の空間を介してプレート胴２へのアクセスが獲得可能であるので、インキ付けシステムと湿しシステム５、６の間で印刷ユニット１の外側からのアクセスは、もはや必要でない。その結果、印刷カップルは垂直方向で相互にはるかに近づけて位置決めすることができ、インキ付けおよび湿しシステム５、６は、プレート胴２の軸線から離れて傾斜方向ではなく、ほぼ横方向に延在するように配置することができる。したがって、印刷ユニット１の全体的高さが大幅に減少する。
【００２８】
印刷ユニット１の全体的高さが減少すると、印刷ユニット１の上部分へのアクセスが容易になり、これを含むために必要な建物の高さも減少する。さらに、ユニット１の重量が大幅に減少し、したがって重く強化した基礎の必要性も低下する。
【００２９】
印刷カップル間の距離が減少するので、各色インキを適用するポイント間でウェブ４が移動しなければならない距離は、見当合わせの改善、紙ウェブ４の扇形に広がる効果の低下、さらに印刷ユニット１の停止を必要とする他の問題により、または印刷ユニットの運転と運転の間に印刷ユニット１の準備を整えるか、停止する場合に、紙廃棄物の削減につながる。
【００３０】
好ましい実施形態では、１次モジュール７および２次モジュール８、９は枠５０に装着され、それによって２次モジュール８、９は、インキ付けユニットが１次モジュール７の印刷カップルと係合する動作位置と、インキ付けユニットが保守、プレートアップ作業および他の機能のために印刷カップルから隔置される非動作位置との間で滑動することができる。次に、この枠５０の構造について、添付図面の図３、図４および図５に関して説明する。
【００３１】
次に図３および図４を参照すると、２次モジュール支持枠５０の端面図、および図３の線Ｘ−Ｘに沿った部分側面図がそれぞれ図示されている。支持枠５０は２次モジュール８、９の一方が不動状態で装着される往復台５１、およびベッド５２を備える。往復台５１は、図３で示すようなページの方向から直角の方向に、またはステッパモータ５３（図４には一部のみ図示）の動作に応答して、２次モジュールが移動して１次モジュールと係合する矢印「Ｒ」（図４参照）の方向、または２次モジュールが移動して１次モジュールとの係合を解除する矢印「Ｓ」（図４参照）の方向に滑動できるように、ベッド５２に装着される。１次モジュール７は１次モジュールの基礎部品５４に装着され、図４にはその一部しか図示されていない。
【００３２】
ベッド５２は、２次モジュール８、９の長さとほぼ等しい距離だけ相互から隔置され、控え柱５６によって接続された１対の２次モジュール基礎部品５５を備える。各２次モジュール基礎部品５５は、水平表面上で自身をしっかり支持する脚部５７Ａを有し、各脚部５７Ａは、ベッド５２を正確に水平にできるように調節可能である。
【００３３】
往復台５１は、２次モジュール８、９が不動状態で装着され、基本的に控え柱５６と同じ長さである控えアーム５９を介して接続される１対の２次モジュール支持部材５７、５８を備える。各支持部材５７、５８は、２次モジュール基礎部品５５の一方に装着され、したがって往復台５１は基礎部品５５上で２次モジュール８、９と一緒に滑動することができる。
【００３４】
各２次モジュール支持部材５７、５８は、基礎部品５５それぞれに取り付けた細長い案内軌道６１上に配置された各２次モジュール支持部材５７、５８の下側に取り付けられた１対の滑動ユニット６０を介して、ベッド５２に装着される（図４では２次支持部材５５上に１つの滑動ユニット６０しか図示せず）。滑動ユニットおよび案内軌道６１を示す支持枠５０の一部の拡大端面図が、図５に図示されている。各滑動ユニット６０は１組の予圧リニアころ軸受け（図示せず）を含み、これは案内軌道６１の案内窪み６２内に配置される。
【００３５】
上述したように、２次モジュール８、９は、モータ５３および２次モジュールを動作させる駆動機構の動作に応答して、１次モジュール７と係合し、係合解除するように動作可能であり、次にこれについて説明する。図４で示すように、駆動機構は、モータ５３によって回転自在に駆動される第一プーリ６５、および駆動ベルト６７を介して第一プーリに駆動状態で接続されるこれより大きい第二プーリ６６を含むハウジング６４（図３には図示せず）を備える駆動伝達ユニット６３を備える。２次プーリ６６は、基礎部品５５の一方の内側に沿って延在し、２次プーリ６６と一緒に回転するボールねじ６８の端部に配置される。ボールねじ６８は、ベッド５２上に支持される各端部で軸受け支持部材６９に装着される。
【００３６】
ボールねじ６８は、２次モジュール支持部材５８の一方に取り付けられた接続部材７０を通って延在し、これに結合され、したがってボールねじ６８が回転すると、接続部材７０がボールねじ６８に沿って駆動され、それによって往復台５８が強制的に案内軌道６１に沿ってモータ５３の回転方向に応じて「Ｒ」方向または「Ｓ」方向に滑動する。
【００３７】
前述した配置構成により、ステッパモータ５３を使用して、２次モジュール８、９の位置をバックラッシュなしに精密に制御できることが理解される。エンコーダ７１をボールねじ６８の端部に配置して、２次モジュール８、９の正確な位置を決定できるようにすることができる。あるいは、エンコーダを駆動モータに関連させて、同じ機能を実行することができる。
【００３８】
図面では１つの支持枠５０しか図示されていないことが理解される。しかし、別の支持枠５０が１次モジュール基礎部品５４の他方側にも、つまり図４に示す１次モジュール基礎部品５４の部分図の左側にも配置され、他方の２次モジュール８、９を１次モジュール７に対して独立して移動させることができる。支持枠５０とその上の１次および２次モジュール７、８、９の完全な図が、図１８にも図示されている。
【００３９】
前述した配置構成では、１次モジュール７は１次モジュール基礎部品５４に不動状態で装着される。しかし、１次モジュール７を移動させるために、２次モジュール８、９を移動させる手段も使用できることが理解される。
【００４０】
各２次および１次モジュール７、８、９は、２次モジュール８、９が動作位置にあり、印刷ユニット１の印刷準備が整っている場合に、これを一緒にロックする手段を含んでよい。ロック手段（図示せず）は、１次モジュール７の枠に取り付けられ、ばねが適用された液圧解放式ディスクブレーキキャリパ、および２次モジュール８、９に取り付けられ、２次モジュール８、９が動作位置へと移動すると、キャリパ内で受け取るプレートを備えてよい。
【００４１】
印刷ユニット１は、人１１が各２次モジュール８、９と１次モジュール７の間にアクセスできるほど十分に後退する２次モジュール８、９を有するものとして説明してきたが、２次モジュール８、９がこのような程度まで移動できるようにする手段を提供する必要はないことが理解される。例えば、自動プレート交換機構を使用する場合は、２次モジュール８、９は、各２次モジュール８、９と１次モジュール７の間をプレート交換機構が通過できるのに十分な距離だけ１次モジュール７から移動するだけでよい。プレート装填機構も完全自動化され、１組のプレートを各印刷ユニットに送出し、これを自動的に設置できることが想定される。プレートは、自動プレートアップモジュールにオフラインで装填され、次に手動で、または自動移送システムによってプレスに送出される。プレート交換モジュールは、１次モジュールと２次モジュール７、８、９の間に位置し、自動的にプレートを胴に設置する。同様に、ブランケットおよびインキトレーンの両方を洗浄する自動洗浄、プレート胴の平坦な設定に対してフォーマローラをチェックすることができるユニット設定機、またはプレート胴に直接描像を導入することができるプレス上描像システムなど、他のロボットまたは自動サブシステムを使用することができる。したがって、これらの自動モジュールにより、人が２次モジュールと１次モジュール７、８、９の間にアクセスできるのに十分な距離だけ、２次モジュール８、９を移動する必要がなくなる。プレス上描像技術を使用して、胴上の書き換え可能なプレートにレーザ彫刻できることも想定される。インキ付けおよび湿しシステム５、６が移動して、プレート胴２との係合を解除すると、プレート胴２へのアクセスが容易になるので、１次モジュールと２次モジュール７、８、９の間の空間に彫刻機器を配置し、その後、２次モジュール８、９が動作位置に戻る前に除去することができる。
【００４２】
印刷ユニット１を分割できると、構造も単純化され、したがって以前のパラグラフで言及したサブシステムの多くの費用も単純化される。というのは、例えばインキ付けおよび湿しシステムのような印刷ユニットの他の構成要素の間でプレート胴などにアクセスできるように設計する必要がないからである。
【００４３】
２次モジュール８、９のそれぞれを１次モジュール７から対向方向に移動する代わりに、印刷ユニット１は、１次モジュールと２次モジュール７、８、９を分離するように、１つの２次モジュール９および１次モジュール７のみが残りの２次モジュール８から同じ方向で横方向に移動するように配置構成できることも理解される。
【００４４】
次に、本発明の前述した実施形態による印刷ユニットのさらなる改造について説明する。この改造された実施形態によって、プレートおよび／またはブランケット胴を同じまたは異なる直径の胴と迅速かつ容易に変更でき、それによって印刷像カットオフを変更することができる。カットオフはプレートおよびブランケット胴の直径によって決定されるので、必要な印刷作業に合わせるために、カットオフを変更できるように、異なる直径を有する胴と交換しなければならない。プレートおよびブランケット胴を変更することによって印刷像カットオフの変更を容易にすることに加えて、この改造は、プレートアップ、ブランケットの変更およびローラの設定など、一般的な保守および他の作業も単純化する。
【００４５】
１次モジュールからプレートおよびブランケット胴を物理的に除去するのではなく、本発明は、ユニットが３つのモジュールに分離し、その１つがプレートおよびブランケット胴を含み、印刷ユニットの他の主要構成要素は非常に少ないか全くないので、２次モジュールが後退した非動作位置にある場合に、それを移動させ、自動または手動移送システムを使用して別の１次モジュールと交換することによって、１次モジュールを全体として、オフラインで保存されていた別の１次モジュールと交換することが可能であることを実現する。新しいモジュールは、全く異なる組のプレートおよびブランケット胴を有することができる。しかし、インキ付けおよび湿しシステムを含む２次モジュールを新しい１次モジュールとともに再使用し、インキ付けおよび湿しシステムが新しい１次モジュールのプレート胴と動作状態で関連し、したがって印刷ユニットを再び迅速に十分動作するように戻すことができる。ここで、古い１次モジュールは、再びそれを使用する必要があるまでオフラインで保存するか、保守、修理またはプレート交換のために適切な位置へと移動させる。
【００４６】
１次モジュールを移動または変更できるようにするために、これをレールのような滑り面に装着し、したがって印刷するために２次モジュールと動作状態で関連できる第一位置から、もはや２次モジュール間にないオフラインの第二保存または保守位置へと滑動することができる。１次モジュールは、動作位置と非動作位置の間で移動する場合に、２次モジュールの横向きの動作方向に対してほぼ直角である横方向に移動可能でよい。印刷ユニットは、１つの１次モジュールが印刷位置から外れると、オフラインで保存されている別のモジュールがそれを引き継ぐために２次モジュール間に移動するように配置構成することができる。
【００４７】
全体として１次モジュールは異なるモジュールと完全に交換され、２次モジュールが動作位置へと戻るとすぐに、印刷ユニットは迅速かつ容易にオンラインに戻ることが可能であることが理解される。したがって、１つの１次モジュールの保守、プレート交換または洗浄を、印刷ユニットが別の１次モジュールで動作している間に実行することができる。
【００４８】
各印刷ユニットに２つ以上の１次モジュールを設けてよいことが理解される。あるいは、幾つかの印刷ユニットを使用する印刷プレスに、プレスに隣接して、またはプレスとともにマガジンラック内にオフラインで保存することができる任意の数の１次モジュールを設けることができる。１次モジュールが装着された軌道のレイアウトに応じて、これは例えば１つまたは複数の印刷ユニットの間を移動するか、さらに徹底的な保守または設定のために別の部屋に入れることができる。理想的な構成では、保守および修理のために１つまたは複数のモジュールがオフラインである場合でも、プレス全体が運転し続けることが常に可能であるように、プレスに印刷ユニットより多数の１次モジュールを設けることが明白である。
【００４９】
この改造された配置構成を使用する場合は、１次モジュールが移動したら１次および／または２次モジュールの任意の保守ができるように、１次モジュールを２次モジュールの間から出すことができるほど十分な距離だけ２次モジュールを１次モジュールから横方向に離すだけでよいことが理解される。しかし、１次モジュールがその場に留まった状態で、保守および他の作業を実行できるように、さらに大きい距離だけ２次モジュールを移動できることが好ましい。
【００５０】
１次モジュールは、自身の下側に取り付けられ、支持ベースに装着した案内軌道上に滑動自在に配置された予圧ころ軸受けを含む滑動ユニットを有することができる。したがって、この装着構成は、２次モジュールをその支持ベースに装着する方法と同様である。しかし、１次モジュールを移動する手段は異なってよい。ボールねじとモータの配置構成の代わりに、プレスは軌道上を走行し、１次モジュールの下で滑動するボギーまたは台車を含む。下側になると、ボギー上の１つまたは複数の液圧作動のピンは、１次モジュールの下側の口と協働し、したがってボギーが移動すると、案内軌道に沿って１次モジュールを牽引するか、押す。ボギーは１次モジュールを支持ベースから離し、移送パレット上へと牽引する。移送パレットに載ったら、ボギーは１次モジュールとの接続を解放し、したがって１次モジュールはこの時点で移送パレット上に位置する。移送パレットは、例えばラックとピニオンのシステムのような任意の知られている手段で移動することができ、１次モジュールを任意の望ましい位置またはパーキング位置へと運搬するように動作可能である。次に、パレットは異なる位置から同じ方法で別の１次モジュールを取り上げ、交換用１次モジュールで印刷を継続できるように、それを移送して印刷ユニットへと戻す。
【００５１】
本発明の改造版による２つの１次モジュール７ａ、７ｂを有する１つの印刷ユニットの平面図が、図６に図示されている。この単純化した配置構成では、２次モジュール８、９は、１次モジュール７ａから分離されるように、それぞれが動作位置から横方向に１次モジュール７ａから横方向に離れて反対方向に移動できる（２次モジュール８は矢印Ａで示す方向に移動し、他方の２次モジュール９は矢印Ｂで示す方向に移動する）ように構成されていることが分かる。１次モジュール７ａが２次モジュール８、９から自由になると、１次モジュール７自体が２次モジュール８、９の間から出て、点線で示す位置へと滑動することができる（１次モジュール７ａは矢印Ｃで示す方向に移動する）。それと同時に、または１次モジュール７ａが移動した後、オフラインに配置されている追加の１次モジュール７ｂが、これも矢印Ｃの方向に移動することによって、１次モジュール７ａに取って代わる。２次モジュール８、９は、これで戻ることができ、したがって新しい１次モジュール７ｂと動作状態で係合する。これで、この時点ではオフラインである１次モジュール７ａで保守、プレートアップ、洗浄または他の作業を実行している間に、印刷ユニット１は追加の１次モジュール７ｂで操作することができる。
【００５２】
本発明のこの態様は、主に１次モジュールを置換する機能に関するものであるが、印刷ユニットまたはプレスは、印刷ユニットが異なる２次モジュールで動作し続けている間に、１つの２次モジュールの保守または修理を実行できるように、少なくとも１つの予備の２次モジュールを含んでもよいことも想定される。１次モジュールが滑動して第一対の間から出て、第二対の間の空間に入ることができるように、第一対に隣接して別の対の２次モジュールを設けることも可能である。これで、第二対の２次モジュールを１次モジュールとオンラインの位置に入れることができる。
【００５３】
幾つかの印刷ユニットを有する印刷プレスでは、全てのユニットが同様の構成を有してよいことが理解される。さらに複雑な配置構成では、各印刷ユニットは、実行すべき印刷作業および必要な印刷像カットオフに応じて１つを選択できるように、自身に関連する幾つかの１次モジュールを有してもよい。あるいは、プレスに複数の１次モジュールを設け、そのいずれか１つをプレスの印刷ユニットのうち任意の１つと一緒に使用することができる。
【００５４】
従来の印刷ユニットでは、インキ付けおよび湿しシステムのゴムで覆われたインキ形成ローラと水形成ローラを形成する部品を、所定の圧力で個々のプレート胴に押しつけ、したがってこのようなローラのゴム表面に「平坦部」が生成される。平坦領域は、胴全体で正確かつ平行であることが重要であり、印刷ユニットに調節可能な止め部を設け、形成ローラの各端にあるアームがこれと係合して、形成ローラをプレート胴に対して正確な位置に保持する。形成ローラは、液圧または空気圧機構によってプレート胴に投入するか、離すことができ、これによってローラは約６ｍｍだけ移動することができ、これは形成ローラをプレート胴から離すのにちょうど十分である。しかし、本発明では、形成ローラを２次モジュールに装着し、したがって様々な直径、つまり様々なカットオフを有するプレート胴に対応するために、はるかに大きい距離を移動することができる。各１次モジュールは、そのモジュールのプレート胴のカットオフに対応する位置で１次モジュール上に装着された止め部材を有し、２次モジュールが１次モジュールと係合すると、形成ローラ上のアームがこれと係合し、プレート胴の直径に関係なく、平坦部の同じサイズを維持する。
【００５５】
既に上述したように、１次モジュールを異なる像カットオフを印刷するように動作可能な胴を有する別の１次モジュールと交換する度に、折り装置も改造しなければならない。図１０から分かるように、本発明の実施形態による折り装置は概ね３つの区間、つまり上部折り装置モジュール５０、下部折り装置モジュール５１および送出モジュール５２を備える。上部折り装置モジュール５０は少なくとも１つのフォーマ５３（図１０には２つを図示）を備え、これはリボン５４が自身および複数の挟みローラ５５上を移動するにつれて、これに第一縦方向折り目を与える。下部折り装置には概ね２つの異なるタイプがあり、これは通常、それぞれジョー折り装置（jaw folder）および回転折り装置（rotary folder）と呼ばれる。ジョー折り装置は、図１０で示すように、リボン５４がフォーマまたは各フォーマ５３を出るにつれて、これを収集する収集胴（collect cylinder）５６、ページの高さによって画定された長手方向の区画にリボン５４を切断する切断胴（cutting cylinder）５８、およびフォーマまたは各フォーマ５３によってリボン５４に与えられた折り目に対してほぼ直角で切断区間に第二折り目を与えるジョー胴（jaw cylinder）５７を備える。回転折り装置（図示せず）は、折り胴および切断胴とともに同じ機能を実行する第二折りローラを備える。
【００５６】
切断区間または新聞は、折り装置モジュール５１から送出モジュール５２へと通過し、これはプレス後機械で積み重ね、束にするために適切なコピー間隔をあけて、新聞をコンベヤ５９ａに送出する、回転自在に装着された外車５９を備える。送出モジュール５２は、外車５９とコンベヤ５９ａの間に配置されたストリッパ（図示せず）も含み、これは外車より遅いが、コンベヤ５９ａと同じ速度で動作する。ストリッパはコピーを外車５９からコンベヤ５９ａ上へと押し出す。
【００５７】
下部折り装置モジュール５１の胴５６、５７、５８は全てカットオフに依存する。つまり、カットオフが変更されると、胴５６、５７、５８もそれぞれ新しいカットオフに対する異なる直径を有する胴と交換しなければならない。したがって、印刷ユニットの１次モジュール７を交換してカットオフを変更する場合は、下部折り装置モジュール５１の胴５６、５７、５８も交換しなければならない。
【００５８】
したがって、本発明の別の態様によると、下部折り装置モジュール５１から胴を物理的に外して、交換するのではなく、下部折り装置モジュール５１を、上部折り装置モジュール５０とは別個で、分離可能であるように構成する。下部折り装置および送出モジュール５１、５２を組み合わせて、１つの一体または共通枠にしてもよい。しかし、送出モジュール５２が下部折り装置モジュール５１からも別個で、分離可能であることがさらに好ましい。送出モジュールは外車５９を含み、ストリッパおよびコンベヤを含むことが好ましい。しかし、外車５９のみを備えてもよい。
【００５９】
したがって、各印刷ユニット１の１次モジュール７と同様に、下部折り装置モジュール５１はその胴５６、５７、５８とともに全く別の部品を形成し、これは全体として折り装置から外すか、オフライン位置に保存されている別の折り装置モジュール６０（図１１参照）と交換することができ、必要な新しいカットオフのサイズに対応する直径を有する胴５６、５７に組み付けることができる。下部折り装置モジュール５１および送出モジュール５２は、滑り面に装着して、折り装置内の動作位置とオフラインの非動作位置の間で移動可能にすることができる。図１１の平面図では、下部折り装置モジュール５１が動作位置で図示され、ここでは上部折り装置モジュール５０（図１１には図示せず）および送出モジュール５２に接続されている。下部折り装置モジュール５１は、折り装置から分離し、矢印Ｙで示す方向にて点線で示すオフラインの保存位置へと移動させ、矢印Ｚで示す方向に移動することによって、別の下部折り装置モジュール５１ａと交換することができる。
【００６０】
折り装置が送出モジュール５２を備えている場合は、カットオフのサイズに、および異なる折動作を使用する折りモジュールにも関係なく、任意の下部折り装置モジュール５１で同じ送出モジュール５２を使用することができる。下部折り装置モジュール５１から送出モジュール５２へのコピーの移送を最適化するために、下部折り装置モジュール５１と送出モジュール５２の相対的位置を変更する方が、はるかに容易でもある。下部折り装置モジュール５１および送出モジュール５２はそれぞれ、自身の側枠６５、６６を有し、これに個々のモジュール５１、５２の構成要素が装着される。送出モジュール５２が動作位置にて下部折り装置モジュール５１の内側に部分的に滑動できるように、送出モジュール５２の側枠６６は、下部折り装置モジュール５１の側枠６５より相互の間隔が狭いことが好ましい。送出モジュール５２は、容易に滑動して下部折り装置モジュール５１との係合を解除するか、そこから後退し、その一方または両方の保守および修理または交換のために下部折り装置モジュール５１および送出モジュール５２へのアクセスを容易にすることができる。
【００６１】
送出モジュール５２の外車５９およびストリッパは、プレス後機械が積み重ね、束にするために所定の固定されたコピー間隔を設けて、コピーをコンベヤ５９ａに送出することが理解される。しかし、様々な顧客が、異なるコピー間隔でコピーを送出するように要求することが多い。従来の折り装置でコピー間隔を変更するには、外車５９およびストリッパを異なる構成の別のものと置換しなければならない。しかし本発明では、送出モジュール５２を分解して、外車５９およびストリッパを交換する代わりに、送出モジュール５２全体を、必要なコピー間隔でコピーを送出可能な外車を有する別のモジュール５２と迅速かつ容易に交換することができる。
【００６２】
１つのユニットが故障した場合に、他のユニットに生産を切り換えることが可能であるように、１次下部折り装置の隣にバックアップ用下部折り装置を設置することが一般的な方法である。折り装置に分離可能な送出モジュール５２を設ける場合は、１つの送出モジュール５２のみが必要であり、２つの下部折り装置モジュール５１のいずれとも使用することができる。あるいは、２つの送出モジュール５２がある場合は、各送出モジュール５２をいずれかの下部折り装置モジュール５１と一緒に使用することができる。
【００６３】
下部折り装置ユニットへのアクセスおよび送出モジュール５２の置換のような上述の利点のうち幾つかは、分離可能な下部折り装置モジュール５１を必要とせずに達成できることが理解される。したがって、本発明の別の態様によると、モジュール５０、５１を備える一体の上部および下部折り装置を有する折り装置があり、送出モジュールのみが折り装置の残りの部分から分離可能である。いずれの配置構成でも、送出モジュール５２は外車５９を、および好ましくはストリッパおよびコンベヤを駆動するために自身のモータを組み込むことが提案される。
【００６４】
次に、本発明の別の態様による印刷プレスについて説明する。本発明のこの態様によるプレスは、以前の実施形態に関して説明した印刷ユニットおよび折り装置と一緒に使用してもよい。しかし、以下のプレス構成は、他の従来の印刷ユニット、プレスおよび折り装置と一緒に使用してもよいことが理解される。
【００６５】
本発明のこの態様を説明するために、従来のプレスのレイアウトの単純化した平面図を図７で示す。この実施形態では、プレスが４つの印刷ユニット１３ａ、１３ｂ、１３ｃおよび１３ｄ、および２つのフォーマ１４ａおよび１４ｂを有する折り装置１４を備えることが分かる。１対の印刷ユニットが折り装置１４の対向する側に配置され、各印刷ユニット１３ａから１３ｄからの紙ウェブは、上方向へと各印刷ユニット１３ａから１３ｄを通り、次に（矢印Ｘで示すように）横方向、さらに下方向に移動し、ウェブを切断し、並んで移動する別個のリボンにするスリット入れ機構（図示せず）、および両方のリボンが重なって折り装置１４の同じフォーマ１４ａまたは１４ｂに入るようにリボンの一方を回転させるために使用する回転装置バーモジュール１５を介して折り装置１４に入る。それぞれがプレートおよびブランケット胴２、３を備えたプリントカップルの最上対が、各印刷ユニット１３内に見え、ここから印刷ユニットを出た状態のウェブの面と、折り装置１４に入る状態のウェブの面とが平行であることが分かる。
【００６６】
この図により構成された印刷プレスの問題は、以上で既に言及され、各リボンが別個のフォーマを通して供給され、２つ以上の別個の新聞紙区間を並んで形成するのではなく、折り装置１４の同じフォーマ１４ａまたは１４ｂを通して供給すべき複数のリボンを形成するように、ウェブにスリットを入れる時に、この問題が発生する。ウェブにスリットを入れると、このようにして形成されたリボンは、同じ面を並んで一緒に移動する。したがって、リボンが同じ１つの並んだ面をもはや移動せず、上下になった異なる平行な面を、または重なった関係で移動するように、リボンの相対的位置を変更しなければならない。リボンの相対的位置は、折り装置１４に隣接して配置された回転装置バー１５によって変更されるが、全てのリボンが回転するわけではない、または全てが同じ回数回転するわけではない。したがって、各リボンのウェブ張力の制御が非常に困難になる。リボン間にウェブ張力の差があると、リボンの見当合わせが維持されているのを保証することが困難になる。リボンの位置合わせまたは見当合わせは、重要であり、いわゆる「スプリットダブル」印刷を実行する場合は特に重要であり、タブロイド紙の別個の２ページにわたって延在するように写真または他の内容を印刷する場合、それぞれが異なるリボンになる。
【００６７】
改造された配置構成が図８に図示され、ここから各印刷ユニット１３ａから１３ｄが９０°回転しており、したがって各印刷ユニット１３を通して垂直上方向に移動するウェブの面が、プレートおよびブランケット胴２、３の最上対の位置から明白であるように、下方向に移動して、フォーマ１４ａまたは１４ｂのうち１つを通って折り装置１４に入る各リボンの面に対して直角であることが分かる。以下で説明するように、回転装置バー１５を使用して、全リボンの面を９０°回転させ、したがってこれは折り装置１４と位置合わせされ、図８の矢印Ｘ２で示す方向に移動する。スリット入れ機構および回転装置バーモジュールを各印刷ユニット１３の真上に装着し、したがってウェブは、リボンが折り線に入る直前ではなく、各印刷ユニットを出てから間もなくスリットが入り、回転する。回転装置バーモジュールまたはスリット入れ機構は、明快さを期して図８には図示されていない。あるいは、回転装置バー１５およびスリット入れ機構（図示せず）は、各印刷ユニット１３に隣接して配置することができ、したがってウェブは、図９で示すように印刷ユニット１３からずれた折り装置１４と一直線上になるように回転し、各印刷ユニット１３から折り装置へのウェブの動作は、矢印Ｘ３で図示されている。
【００６８】
次に、添付図面の図１２の先行技術の配置構成を、本発明による改造された配置構成を示す図１３とともに参照する。単純にするために、両方の図のウェブは、２本の別個のリボンを形成するように、１回スリットを入れてある。しかし、ウェブは必要に応じて任意の回数だけスリットを入れてよいことが理解される。
【００６９】
図１２の一般化した斜視図を参照すると、ウェブ４の区間が印刷ユニット（図示せず）を出るにつれ、垂直上方向（矢印Ｆの方向）に移動することが分かる。ウェブはローラ１６上を通過し、その軸線はウェブ４の面と平行であり、ウェブ４を９０°回転するので、これは矢印Ｇで示す方向に、折り装置１４にまっすぐ向かって横方向に移動する。
【００７０】
並んで移動する２本の別個のリボン１８、１９を形成するようにウェブにスリットを入れる機構１７が、折り装置１４に隣接して配置される。ウェブ４にスリットが入ると、リボン１９の一方は１対のさらなるローラ２０、２１上を通過し、これは両方ともリボン１９の面に平行な軸線を有し、したがってリボン１９は下方向に、次に再び矢印ＨおよびＩそれぞれで示した方向で横方向に移動する。次に、同じリボン１９が、リボン１９の面に対して４５°の軸線を有する第一および第二回転装置バー１５ａ、１５ｂ上を通過する。リボン１９が第二回転装置バー１５ｂを通過すると、次に平行な面の真下を、第一ローラ１６上を通過した後に同じ路に残っている残りのリボン１８と同じ方向に移動していることが分かる。したがって、他方のリボン１８が回転せずに折り装置１４内へとまっすぐ通過する一方、一方のリボン１９がローラ２０、２１上を通過し、回転装置バー１５ａ、１５ｂ上で２回回転すると、２本のリボン１８、１９間の相対的張力は異なる可能性が高く、よく知られた運転可能性および見当合わせの問題につながる。
【００７１】
本発明はこの問題を克服し、両方のリボンを同じ回数だけ回転することを保証することによって、リボンが平行面に重ねて位置決めされる配置構成を提供する。図１３を参照すると、ウェブ４が以前のように矢印Ｆの方向で印刷ユニットから垂直に上方向に移動していることが分かる。しかし、図８に関して説明したように、印刷ユニットは、ウェブ４の面が、リボンが折り装置１４に入る状態でその面に対して９０°の角度であるように配置構成されている。
【００７２】
ウェブ４が印刷ユニットから垂直に上方向の路で移動するにつれ、これはスリット入れ機構１７によってスリットが入り、２本のリボン２２、２３を形成して、両方とも同じ面で並んで垂直方向に移動する。各リボン２２、２３は次に、異なる高さで別個のローラ２４、２５上を通過し、これは両方ともリボン２２、２３の進行方向に対して直角の軸線を有する。リボン２２、２３がローラ２４、２５上を通過するにつれ、これは９０°回転し、したがってここでは並んで横方向に、しかし矢印Ｊで示す方向で異なる高さにて移動する。次に、両方のリボン２２、２３は、折り装置１４に向かって移動するように、回転する必要がある。これは、各リボン２２、２３の移動方向に対して４５°で位置合わせされた軸線を有する回転装置バー２６、２７上を各リボン２２、２３が通過することによって達成される。下部回転装置バー２６は、上部回転装置バー２７の前であるが、それより下に配置され、したがってリボン２２、２３が回転すると、両方のリボン２２、２３が折り装置に向かって移動し、下部リボン２２が必要に応じて上部リボン２３の下になる。回転装置バー２６、２７は、各印刷ユニット１の上で回転装置バーモジュール２６ａに装着される（図１および図２参照）。
【００７３】
印刷ユニットは、ウェブが印刷ユニットを出る時に、それが折り装置に入る状態のウェブの面に対してウェブの面がある角度になるように配置構成されるので、リボンの一部だけではなく、全てのリボンを回転しなければならないことが理解される。さらに、各リボンの間の張力を制御し、ほぼ等しく維持することができるように、全部のリボンが同じ回数だけ回転する。
【００７４】
別の改造された配置構成では、回転装置バーは、並んで移動する２本以上のリボンが接触せず、ギャップによって分離されるように配置構成することができる。これによってウェブの幅に関係なく、フォーマの位置を一定にし、上部折り装置モジュールを単純化することができる。回転装置バーにリボン補償器を設けても、上部折り装置モジュール内に区間レジスタを使用せずに新聞紙内で各リボンを正確に見当合わせすることもできる。これも、上部折り装置を単純化し、プレスの運転可能性を改善する。
【００７５】
印刷プレスの配置構成に関する前述の実施形態は、前述した実施形態のいずれとも組み合わせないか、またはその一部または全部と組み合わせて使用し、特に融通性がある印刷プレスを提供することができる。前述した全ての実施形態を組み込み、提案された印刷プレスのレイアウトの幾つかの例について、次に添付図面の図１４から図１６に関して説明する。
【００７６】
図１４を参照すると、本発明の全態様を実現する可能な印刷プレス構成、つまり各印刷ユニット上の後退可能なモジュール、動作および交換可能な１次モジュール、着脱式および交換可能な下部折り装置モジュールおよび送出モジュール、および折り装置に対する各印刷ユニットの方向変換の平面図が図示されている。
【００７７】
図１４には、Ｃ１とマークされた４つの印刷ユニットおよびＦ１とマークされた折り装置を有するプレスの平面図が図示されている。各印刷ユニットＣ１は、文字「Ｉ」で示す１対の２次モジュールを有し、これにインキ付けおよび湿しシステム５、６が装着される。これは、１次モジュールＣ１から分離した後の位置で図示されている。各印刷ユニットＣ１の各印刷カップルに、自身のモータ３０を設ける。最上対の印刷カップルを駆動するモータ３０のみが、図では見ることができる。２次モジュールＩのインキ付けおよび湿しシステム５、６にも自身のモータ３１を設け、この場合も各２次モジュールＩの最上モータしか図１４の平面図では見られない。
【００７８】
印刷ユニットは、ウェブが下降して折り装置Ｆ１に入る時にウェブがある面に対して直角の面で、ウェブが各印刷ユニットを通して垂直に上方向へと通過するように、図８に関して説明した本発明の態様に従って配置構成されていることが理解される。
【００７９】
図で見て印刷ユニットのうち２つを超えて折り装置Ｆ１の左手側には、４つの追加的な１次モジュールの列３２が図示され、それぞれがオフラインの位置に保存されている。これはＣ２およびＣ３とマークされている。このようなモジュールのいずれも、折り装置Ｆ１の左手側にある１次モジュールＣ１のうち１つに取って代わることができる。交換すべき１次モジュールＣ１は、Ｃ１’とマークされた点線で示す場所で、列のオフライン位置に移動することができる。図面で見て折り装置の右手側にも、同様の列３３が図示されている。１次モジュールＣ１とオフラインに保存され、Ｃ２およびＣ３とマークされた１次モジュールとの間の点線３３は、以下でさらに詳細に説明するシステムのような自動または手動移送システムを使用して、１次モジュールＣ１、Ｃ２、Ｃ３が保存位置と、２次モジュール間の動作位置との間で移動できる軌道または滑り面を表象する。
【００８０】
同様の第二の構成が図１５に図示されているが、この図では、１次モジュールがプレスの各側にある２つの列３２ａ、３２ｂにオフラインで保存される。この配置構成の方が、プレス室の幅が１つの保存列３２を収容するのに十分でない場合に適切である。
【００８１】
オフラインで配置された１次モジュールの保存設備は、１次モジュールがプレスを出入りできるようにするための開口がある分割壁によってプレス室から分離することができる。これによって、作業中のプレスが占有する環境とは異なる制御された環境で、モジュールのプレートアップまたは他の作業が可能になる。
【００８２】
図１４および図１５では、折り装置Ｆ１が、オフライン位置に保存された２つの追加的折り装置モジュールＦ２、Ｆ３を含むことが分かる。これらのモジュールＦ２、Ｆ３のいずれも、１次モジュールＣ１をそれぞれが異なるカットオフを有する１次モジュールＣ２またはＣ３と交換することによって各印刷ユニットの１次モジュールＣ１の胴のカットオフを変更する場合に、折り装置の胴のカットオフ変更を容易にするために、現在動作位置にある折り装置モジュールＦ１と交換することができる。各折り装置モジュールは、異なる折り装置モジュールＦ２、Ｆ３と交換する場合に、オフライン位置に移動することができる。
【００８３】
さらに別の可能な構成が、図１６の断面図に図示されている。この配置構成では、床レベルで１次モジュールに保存設備を設ける代わりに、１次モジュールをさらに低い、またはさらに低いレベルの地下区域３４に保存されている。モジュールＣ１、Ｃ２、Ｃ３は、必要な１次モジュールＣ１を２次モジュールＩの間であるが、その下に位置決めするように、矢印Ｓの方向で移動することができる滑動自在の回転ラックまたはターンテーブル３５上に装着してよいことが想定される。これで、１次モジュールを矢印Ｔの方向で２次モジュールＩの間の位置へと巻き上げるか、持ち上げることができる。通常は印刷ユニットの真下に装着されるリールスタンド３６が、保存されている１次モジュールＣ１、Ｃ２、Ｃ３を収容するために十分空間をとるために、この構成では偏っている。
【００８４】
図１４の配置構成にも適用可能である図１５の配置構成の改造版では、リールスタンドＲ１が各印刷ユニットの下ではなく２次モジュールＩと並んで装着される印刷プレスが、図１７に図示されている。印刷ユニットの１つおよびそれに隣接するリールスタンドの側面図が、図１８に図示されている。図３から図５に関して以上でさらに詳細に説明したように、１次および２次モジュール７、８、９をベッド５２に装着し、これによって２次モジュール８、９を動作位置と非動作位置の間で滑動できることが分かる。リールスタンドから印刷ユニットを通る紙ウェブの路も図示されている。
【００８５】
以上から、本発明の各態様は、新聞紙の印刷など、大量の商業印刷に使用できる融通性があって保守および設置が簡単なシステムを提供するために、独立して、または印刷プレスと一緒に使用することができる利点を提供することが理解される。
【００８６】
請求の範囲の条件に入る本発明の多くの改造および変形は、当業者には明白であり、以上の説明は好ましい実施形態の説明に過ぎないと見なされる。
【図面の簡単な説明】
【００８７】
【図１】本発明により印刷の準備が整った動作位置または閉鎖位置にある印刷ユニットの側断面図を示す。
【図２】図１に図示されている印刷ユニットであるが、アクセスを提供し、それによって保守、自動プレート装填、プレス上描像および他の機能などのプレートアップ作業を容易にする部分的に開放した非動作位置にある側断面図を示す。
【図３】本発明の好ましい実施形態による２次モジュール支持枠の端面図である。
【図４】図３の線Ｘ−Ｘに沿った単純化した部分図である。
【図５】２次モジュールを支持枠に装着する方法を示す拡大部分図である。
【図６】図１および図２で示した印刷ユニットの改造版による２つの１次モジュールを有する１つの印刷ユニットの平面図を示す。
【図７】従来のプレス構成の平面図を示す。
【図８】本発明によるプレス構成の平面図を示す。
【図９】本発明による代替プレス構成の平面図を示す。
【図１０】本発明の態様による折り装置の単純化した側面図を示す。
【図１１】下部折り装置モジュール、送出モジュールおよび交換用下部折り装置モジュールの単純化した平面図を示す。
【図１２】従来の配置構成による１つの印刷ユニットから折り装置までのウェブ路の一部の斜視図を示す。
【図１３】本発明の別の態様による１つの印刷ユニットから折り装置までのウェブ路の一部の斜視図を示す。
【図１４】本発明の一態様による印刷ユニットを組み込んだ提示された印刷プレス構成の平面図を示す。
【図１５】代替印刷プレス構成を示す。
【図１６】さらに別の代替プレス構成を示す。
【図１７】図１５で示すプレス構成の改造版を示す。
【図１８】印刷ユニットの下ではなく、それに隣接してリールスタンドが装着された本発明による印刷ユニットを示す。
【符号の説明】
【００８８】
１  印刷ユニット
２  プレート胴
３  ブランケット胴
４  ウェブ
５  インキ付けシステム
６  湿しシステム
７  １次モジュール
８  ２次モジュール
９  ２次モジュール
１１  人
１３  印刷ユニット
１４  折り装置
１５  回転装置バーモジュール
１６  ローラ
１７  機構
１８  リボン
１９  リボン
２０  ローラ
２１  ローラ
２２  リボン
２３  リボン
２６  回転装置バー
２７  回転装置バー
３０  モータ
３１  モータ
３２  列
３３  点線
３４  地下区域
３５  ターンテーブル
３６  リールスタンド
５０  枠／上部折り装置モジュール
５１  往復台／下部折り装置モジュール
５２  ベッド／送出モジュール
５３  ステッパモータ／フォーマ
５４  基礎部品／リボン
５５  基礎部品／挟みローラ
５６  控え柱／収集胴
５７  脚部／支持部材／ジョー胴
５８  支持部材／切断胴
５９  控えアーム／外車
５９ａ  コンベヤ
６０  滑動ユニット
６１  案内軌道
６２  窪み
６３  駆動伝達ユニット
６４  ハウジング
６５  第一プーリ
６６  第二プーリ
６７  駆動ベルト
６８  ボールねじ
６９  支持部材
７０  接続部材
７１  エンコーダ
【図１】
2007516858.tif 000002
【図２】
2007516858.tif 000003
【図３】
2007516858.tif 000004
【図４】
2007516858.tif 000005
【図５】
2007516858.tif 000006
【図６】
2007516858.tif 000007
【図７】
2007516858.tif 000008
【図８】
2007516858.tif 000009
【図９】
2007516858.tif 000010
【図１０】
2007516858.tif 000011
【図１１】
2007516858.tif 000012
【図１２】
2007516858.tif 000013
【図１３】
2007516858.tif 000014
【図１４】
2007516858.tif 000015
【図１５】
2007516858.tif 000016
【図１６】
2007516858.tif 000017
【図１７】
2007516858.tif 000018
【図１８】
2007516858.tif 000019
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
複数の印刷カップル対を備え、前記印刷カップル対の各印刷カップルが、プレートおよびブランケット胴を備え、各印刷カップル対は、各対の前記印刷カップルの間を通過する紙ウェブの両面に異なる色を印刷するように配置構成され、また、各印刷カップルと関連し、動作位置にある前記プレート胴にインキを供給するインキ付けシステムを備え、さらに、全ての前記印刷カップル対を担持する１次モジュールと、前記インキ付けシステムを担持する１対の２次モジュールとを備え、前記２次モジュールは、前記１次および前記２次モジュールが相互から分離される非動作位置へと動作可能であるウェブオフセットプレスの多色印刷ユニットであって、
前記２次モジュールが非動作位置にあり、前記１次モジュールから分離されている場合に、前記１次モジュールを前記２次モジュールの間から移動させ、それによって元の前記１次モジュールの前記プレート胴の直径とは胴の直径が異なる前記プレートおよびブランケット胴を含む複数の印刷カップル対を備える第二１次モジュールが、元の１次モジュールに取って代わることができ、したがって前記２次モジュールが前記第二１次モジュールとともに動作位置に戻ることができる手段を特徴とする多色印刷ユニット。
【請求項２】
前記１次モジュールが前記１対の２次モジュールの間に配置される、請求項１に記載の印刷ユニット。
【請求項３】
前記２次モジュールまたは各２次モジュールが、横向きに前記１次モジュールから離れる方向で滑動可能であり、該印刷ユニットを前記１次モジュールと２次モジュールとに分割する、請求項１または２に記載の印刷ユニット。
【請求項４】
前記２次モジュールがそれぞれ、横向きに前記１次モジュールから反対方向に滑動自在である、請求項３に記載の印刷ユニット。
【請求項５】
前記２次モジュールが滑動自在に支持ベースに装着される、請求項３または４に記載の印刷ユニット。
【請求項６】
滑動ユニットが、前記支持ベース上の案内軌道と協働するために前記２次モジュールのそれぞれに取り付けられる、請求項５に記載の印刷ユニット。
【請求項７】
前記滑動ユニットが、前記案内軌道の窪みと協働する予圧ころ軸受けを含む、請求項６に記載の印刷ユニット。
【請求項８】
前記２次モジュールが、不動状態で取り付けられる往復台を含み、前記滑動ユニットが前記往復台に装着される、請求項６または７に記載の印刷ユニット。
【請求項９】
前記軌道に沿って前記往復台を駆動する手段を含む、請求項６から８のいずれかに記載の印刷ユニット。
【請求項１０】
前記駆動手段が、前記支持ベースに装着されたボールねじに駆動状態で接続されたモータと、前記２次モジュールが前記モータによる前記ボールねじの回転に応答して前記支持ベース上で滑動するように、前記２次モジュールに取り付けた前記ボールねじ上の接続部材とを含む、請求項９に記載の印刷ユニット。
【請求項１１】
前記モータが、１対のプーリおよび駆動ベルトを介して前記ボールねじに接続される、請求項１０に記載の印刷ユニット。
【請求項１２】
複数の追加的１次モジュールを含み、前記手段によって、前記２次モジュールがその非動作位置へと移動した場合に、前記２次モジュールの間に配置された前記１次モジュールを、前記複数の追加的１次モジュールのうち選択された１つと交換することができる、請求項１から１１のいずれかに記載の印刷ユニット。
【請求項１３】
前記２次モジュールがその動作位置に戻った場合に、前記インキ付けシステムが異なる直径のプレート胴に合わせて調節されるように、前記１次および２次モジュール上に協働調節機構を備える、請求項１２に記載の印刷ユニット。
【請求項１４】
前記１次モジュールを移動させる前記手段が、前記１次モジュール上に、前記１次モジュールが動作位置にある場合に載る支持ベースに取り付けられた案内軌道と協働する滑動部材を含む、請求項１３に記載の印刷ユニット。
【請求項１５】
前記手段がさらに、前記１次モジュールまたは各１次モジュールと協働して、これを前記案内軌道に沿って移送パレットまで押す移送ボギーを含む、請求項１４に記載の印刷ユニット。
【請求項１６】
湿しシステムが前記２次ユニットのそれぞれに装着される、請求項１から１５のいずれかに記載の印刷ユニット。
【請求項１７】
複数の印刷カップル対を備え、前記印刷カップル対の各印刷カップルが、プレートおよびブランケット胴を備え、各印刷カップル対は、各対の前記印刷カップルの間を通過する紙ウェブの両面に異なる色を印刷するように配置構成され、また、各印刷カップルと関連し、動作位置にある前記プレート胴にインキを供給するインキ付けシステムを備え、さらに、全ての前記印刷カップル対を担持する１次モジュールと、前記インキ付けシステムを担持する１対の２次モジュールとを備えるウェブオフセットプレスの多色印刷ユニットを再構成する方法で、前記２次モジュールを、前記１次および前記２次モジュールが相互から隔置された非動作位置へと移動させるステップを含む方法であって、
前記２次モジュールが非動作位置にある場合に、前記１次モジュールを前記２次モジュールの間から移動させるステップと、元の前記１次モジュールの前記プレート胴の直径とは異なる直径の前記プレートおよびブランケット胴を含む複数の印刷カップル対を備える第二１次モジュールを、前記元の１次モジュールが以前に占有していた位置へと移動するステップと、前記２次モジュールを前記第二１次モジュールとともに動作位置へと戻すステップとを特徴とする方法。
【請求項１８】
前記２次モジュールが前記非動作位置へと移動したら、前記１次モジュールを前記２次モジュールの間から移動させるステップを含む、請求項１７に記載の方法。
【請求項１９】
前記１次モジュールを、前記２次モジュールがその動作位置と非動作位置の間で動作する方向に対してほぼ直角の方向に移動させるステップを含む、請求項１８に記載の方法。
【請求項２０】
前記２次モジュールから離れて保存されている異なる１次モジュールを前記２次モジュールの間に移動させるステップと、前記２次モジュールを前記異なる１次モジュールとともにその動作位置へと戻すステップとを含む、請求項１８または１９に記載の方法。
【請求項２１】
前記印刷ユニットが、前記２次モジュールから離れて保存されている複数の異なる１次モジュールを備え、該方法が、前記異なる１次モジュールから１つを選択するステップと、前記選択された１次モジュールを前記２次モジュールの間に移動するステップと、前記２次モジュールを前記選択された１次モジュールとともにその動作位置へと戻すステップとを含む、請求項２０に記載の方法。
【請求項２２】
前記１次モジュールを、交換される前記１次モジュールによって担持された前記プレート胴の直径とは異なる直径のプレート胴を担持する１次モジュールと交換するステップを含む、請求項２０または２１に記載の方法。
【請求項２３】
少なくとも１つのフォーマを含んで、前記フォーマまたは各フォーマ上を通過する印刷物の連続ウェブに第一縦方向折り線を与える上部折り装置モジュールと、前記上部折り装置モジュールから折り畳んだ前記ウェブを受け取り、前記ウェブを縦方向区間に切断して、前記第一縦方向折り目に対してほぼ直角で各区間に第二折り目を与える手段を備える下部折り装置モジュールと、前記下部折り装置モジュールから折り畳んだ前記区画を受け取り、これを前記折り装置から移送するために送出する手段を備える送出モジュールを備えるウェブオフセット印刷プレス用折り装置であって、
前記送出モジュールが前記下部折り装置モジュールとは別個で、そこから分離可能であることを特徴とする折り装置。
【請求項２４】
前記下部折り装置モジュールが前記上部折り装置モジュールとは別個であり、そこから分離可能である、請求項２３に記載の折り装置。
【請求項２５】
前記下部折り装置モジュールが、前記手段が装着される枠を備え、前記枠が、これを動作位置で前記上部折り装置モジュールに着脱式に取り付ける協働手段を含む、請求項２４に記載の折り装置。
【請求項２６】
前記下部折り装置モジュールがジョー折り装置であり、収集胴、ジョー胴および切断胴を備える、請求項２４または２５に記載の折り装置。
【請求項２７】
前記下部折り装置モジュールが回転折り装置モジュールであり、折り胴、第二折りローラおよび切断胴を備える、請求項２４または２５に記載の折り装置。
【請求項２８】
各下部折り装置モジュールの個々の前記胴の直径が異なる、請求項２７に記載の折り装置。
【請求項２９】
前記枠が、前記下部折り装置モジュールをその動作位置からオフラインの保存位置へと移動させることができる手段を含む、請求項２４から２８のいずれかに記載の折り装置。
【請求項３０】
前記下部折り装置モジュールを移動する前記手段が、異なる下部折り装置モジュールを前記下部折り装置モジュールの代わりに前記動作位置に配置できる手段を含む、請求項２９に記載の折り装置。
【請求項３１】
前記折り装置が少なくとも２つの下部折り装置モジュールを含み、各モジュールが前記折り装置内の前記動作位置とオフラインの保存位置との間で動作可能である、請求項２９または３０に記載の折り装置。
【請求項３２】
前記送出モジュールが、枠と、前記枠を動作位置で前記下部折り装置モジュールに着脱式に取り付ける協働手段とを備える、請求項２４から３１のいずれかに記載の折り装置。
【請求項３３】
前記下部折り装置から折り畳んだ前記区間を受け取り、これを前記折り装置から移送する前記送出モジュール内の前記手段が、回転自在に装着された外車を備える、請求項２４から３２のいずれかに記載の折り装置。
【請求項３４】
前記送出ユニットが、前記外車から折り畳んだ区間を受け取って、これを前記折り装置から移送するために、さらにストリッパおよび送出コンベヤを備える、請求項３３に記載の折り装置。
【請求項３５】
前記外車が自身のモータによって回転自在に駆動される、請求項３３または３４に記載の折り装置。
【請求項３６】
前記モータが前記送出モジュールに装着される、請求項３５に記載の折り装置。
【請求項３７】
少なくとも１つのフォーマを含み、前記フォーマまたは各フォーマ上を通過する印刷物の連続ウェブに第一長手方向折り目を与える上部折り装置モジュールと、前記上部折り装置モジュールから分離可能であり、前記上部折り装置モジュールから折り畳んだ前記ウェブを受け取って、前記ウェブを長手方向区間に切断し、前記第一長手方向折り目に対してほぼ直角で各区間に第二折り目を与える手段を備える別個の下部折り装置モジュールと、前記下部折り装置モジュールから折り畳んだ前記区間を受け取り、これを前記折り装置から移送するために送出する手段を備える送出モジュールとを備えるウェブオフセット印刷プレスの折り装置を再構成する別の方法で、前記下部折り装置モジュールを前記上部折り装置モジュールから分離するステップと、前記下部折り装置モジュールを別の下部折り装置モジュールと交換するステップとを含む方法であって、
前記送出モジュールを前記下部折り装置モジュールから分離するステップと、前記送出モジュールを前記他の下部折り装置モジュールに再度取り付けるステップとを特徴とする方法。
【請求項３８】
請求項１から１６のいずれかに記載の複数の印刷ユニットを含む印刷プレス。
【請求項３９】
請求項２３から３６のいずれかに記載の折り装置を含む印刷プレス。
【請求項４０】
請求項３８および３９に記載の印刷プレス。
【請求項４１】
前記プレスの各印刷ユニットで請求項１７から２２のいずれかに記載の方法のステップを使用して、請求項１から１６のいずれかに記載の複数の印刷ユニットを備える印刷プレスを再構成する方法。
【請求項４２】
前記印刷プレスが、請求項２３から３６のいずれかに記載の折り装置を含み、前記方法が、請求項３７に記載の折り装置を再構成する追加的ステップを含む、請求項４１に記載の方法。
【請求項４３】
複数の印刷ユニットと、前記印刷ユニットに隣接して配置された折り装置とを備えるウェブオフセット印刷プレスであって、
各印刷ユニットが、各印刷ユニットを通過して前記折り装置に入る紙ウェブの路を画定し、各印刷ユニットが、前記ウェブにスリットを入れて複数のリボンを形成する手段と、各リボンが前記折り装置に向かって移動してそれに入るにつれて重なった平行な面になるように、前記リボンのそれぞれを、前記印刷ユニットと前記折り装置の間で同じ回数だけ回転する手段とを備え、前記印刷ユニットは、スリットを入れてリボンにする前に、個々の印刷ユニットを通過するにつれ、全ての前記ウェブがほぼ同じ面にあるように配置構成されるものであるプレス。
【請求項４４】
前記プレスは、前記印刷ユニットを通って上昇する前記ウェブが、前記リボンが前記折り装置内へと下降するにつれて、前記リボンのそれぞれが占有する面に対して直角の面にあるように構成される、請求項４３に記載のプレス。
【請求項４５】
前記印刷ユニットが、第一平行軸線の周囲で回転するように配置構成された印刷およびブランケット胴を備え、前記折り装置が、第二平行軸線の周囲で回転するように配置構成された胴を備え、前記第一および第二軸線が相互に直角である、請求項４３または４４に記載のプレス。
【請求項４６】
それぞれが印刷ユニットを通過する前記ウェブにスリットを入れて、複数のリボンを形成する手段を有し、それぞれが、各印刷ユニットからの前記リボンが、前記折り装置に向かって移動してそれに入るにつれて重なって平行の面になるように、前記リボンを回転する手段を有する複数の印刷ユニットを備える、請求項４３から４５のいずれかに記載のウェブオフセットプレス。
【国際調査報告】
2007516858.tif 000020
2007516858.tif 000021
2007516858.tif 000022
2007516858.tif 000023
2007516858.tif 000024